(57)【特許請求の範囲】
【請求項１】
支持具本体と、この支持具本体に設けた取付脚部と、被支持面に支持具本体を着脱自在に取り付けられるよう取付脚部に連繋した取付手段と、ディスプレー品を表示支持するよう支持具本体に形成した支持部と、この支持部に設けた連結筒部に選択的に連繋する径が異なる複数の支持バーとを備えて成るディスプレー支持装置において、連結筒部は太径の支持バーをその内周部に嵌め合わせ連結するよう大径となっている大径連結部分と、細径の支持バーをその外周部に嵌め合わせ連結するよう小径となっている小径連結部分とを備え、この連結筒部における内外配置の大径連結部分と小径連結部分との間には、小径連結部分の基部の周囲で、細径の支持バーの端面が当接停止する頂部を備え、底部に至るに伴い次第に外方に末広がり状となった翼片状で、太径の支持バーの内周面に強制的に当接するようにした複数の張出片を放射状に配してあることを特徴とするディスプレー支持装置。
【請求項２】
取付手段は、支持部の左右側方、支持部の下方夫々に計３個にして配装した請求項１に記載のディスプレー支持装置。
【請求項３】
取付手段は、支持部の左右側方に配装すると共に支持部の上下に沿った補助脚部を設けてある請求項１または２に記載のディスプレー支持装置。
【請求項４】
取付手段自体は、吸盤あるいは粘着盤としてある請求項１乃至３のいずれかに記載のディスプレー支持装置。
【発明の詳細な説明】
【０００１】
【発明の属する技術分野】
本発明は、例えば店舗におけるショーウインド、出入口、壁面その他に各種商品等の宣伝広告等のために設置表示される垂れ幕、シート、疑似商品見本その他の各種のディスプレー品を支持バーを介して支持するに際し、その支持バーの径に大小があっても、それらの大小を選択して確実、簡単に被支持面に連結支持できるようにしたディスプレー支持装置に関するものである。
【０００２】
【従来の技術】
従来から店舗等における例えばショーウインドその他には各種商品の宣伝広告等のために垂れ幕、シート等の各種のディスプレー品が取り付けられており、それらはショーウインドその他の被支持面に接合される吸盤、粘着盤その他の取付治具によって連繋支持されている。すなわち被支持面に吸盤等を介して取り付けられた取付治具に例えばパイプ状の支持バーを連結し、その支持バーに商品の宣伝内容が表示された例えば垂れ幕、シートを連繋支持するようになっている。これらは例えば本出願人が提案している実用新案登録第２１４４０１３号、登録実用新案第３０００９７０号、登録実用新案第３０２０３６９号、登録実用新案第３０２０３７０等に係る支持具その他のものであり、被支持面に簡易、手軽に取り付けられる故に、小型の宣伝広告用のディスプレー品として数多く使用されているのである。
【０００３】
【発明が解決しようとする課題】
ただこうした従来の支持具は、比較的に小型のディスプレー品に対応したものとして構成されており、その垂れ幕等の大きさは比較的に小さく、重量的にもあまり嵩張らないために、垂れ幕等を支持する支持バーは例えば外径が１０〜１１ｍｍ程度の細径のものとして構成されていた。
【０００４】
ところがこうした従来提案の支持具によると、大型の垂れ幕例えば横幅が３０ｃｍ、縦幅（高さ）が１００ｃｍ程度のものとなったり、吊り下げられる疑似商品見本等が大型のものとなったりすると、重量的にも嵩張るものとなり、従来から使用されている外径が１０〜１１ｍｍ程度の支持バーでは十分に支持できなくなる虞があった。しかも近時はこうした大型のポスター、垂れ幕等の使用が比較的に多くなり、また屋外で使用される場合には風に煽られることが多いことでディスプレー品に負荷される抵抗も大きくなるから大型、太径の支持バーを使用できる支持具が求められているものであった。
【０００５】
そこで本発明は叙上のような従来存した諸事情に鑑み創出されたもので、比較的に重量がある大型のディスプレー品の支持に好適となる太径の支持バーの連繋使用が可能であり、しかも従来の細径の支持バーを使用することも選択できるようにし、更に重量的に嵩張るディスプレー品であってもそれらをしっかりと被支持面に取り付け支持でき、例えば屋外使用時における風によって煽られても簡単には離脱、外れ、落下することがないようにしたディスプレー支持装置を提供することを目的とする。
【０００６】
【課題を解決するための手段】
上述した目的を達成するため、本発明にあっては、支持具本体１に設けた取付脚部１０に連繋した取付手段２０，２５によって被支持面Ｇに支持具本体１を着脱自在に取り付けられるようにすると共に、支持具本体１に形成した支持部２を介してディスプレー品Ｄを表示支持するようにしたもので、支持具本体１の支持部２には、径が異なる支持バーＢ１，Ｂ２を選択的に連繋する連結筒部３を設けたものである。
連結筒部３は太径の支持バーＢ１を嵌め合わせ連結するよう大径となっている大径連結部分４と、細径の支持バーＢ２を嵌め合わせ連結するよう小径となっている小径連結部分５とを備えており、大径連結部分４の内径は太径の支持バーＢ１の外径に、小径連結部分５の外径は細径の支持バーＢ２の内径にほぼ対応して形成してあるものとできる。
この連結筒部３における内外配置の大径連結部分４と小径連結部分５との間には、小径連結部分５の周囲で、底部に至るに伴い次第に外方に末広がり状となった翼片状で、太径の支持バーＢ１の内周面に強制的に当接するようにした複数の張出片６を放射状に配して構成することができる。
そして更に具体的には、支持具本体１と、この支持具本体１に設けた取付脚部１０と、被支持面Ｇに支持具本体１を着脱自在に取り付けられるよう取付脚部１０に連繋した取付手段２０，２５と、ディスプレー品Ｄを表示支持するよう支持具本体１に形成した支持部２と、この支持部２に設けた連結筒部３に選択的に連繋する径が異なる複数の支持バーＢ１，Ｂ２とを備えて成るディスプレー支持装置において、連結筒部３は太径の支持バーＢ１をその内周部に嵌め合わせ連結するよう大径となっている大径連結部分４と、細径の支持バーＢ２をその外周部に嵌め合わせ連結するよう小径となっている小径連結部分５とを備え、この連結筒部３における内外配置の大径連結部分４と小径連結部分５との間には、小径連結部分５の基部の周囲で、細径の支持バーＢ２の端面が当接停止する頂部を備え、底部に至るに伴い次第に外方に末広がり状となった翼片状で、太径の支持バーＢ１の内周面に強制的に当接するようにした複数の張出片６を放射状に配してあるものである。
取付手段２０，２５は、支持部２の左右側方、支持部２の下方夫々に計３個にして配装したり、支持部２の左右側方に配装すると共に支持部２の上下に沿った補助脚部１５を設けたりして構成することができ、取付手段自体は、吸盤２０あるいは粘着盤２５とすることができる。
【０００７】
以上のように構成された本発明に係るディスプレー支持装置において、支持部２の連結筒部３における大小の大径連結部分４、小径連結部分５夫々で、太径、細径夫々の支持バーＢ１，Ｂ２を選択的に連繋させ、荷重的に嵩張るディスプレー品Ｄにはこれを支持するに好適な太径の支持バーＢ１を、軽量なディスプレー品Ｄには細径の支持バーＢ２を夫々連繋支持させる。
また連結筒部３の大径連結部分４は、これの内周部に太径の支持バーＢ１を案内しながら嵌め入れて連結させ、小径連結部分５は、これの外周部に細径の支持バーＢ２を案内しながら嵌め合わせて連結させ、ディスプレー品Ｄ等の荷重その他の外部からの衝撃等に対して十分に耐えてこれらをしっかりと支持させる。
小径連結部分５周囲で放射状に配した張出片６は、この小径連結部分５に沿って嵌め合わせる細径の支持バーＢ２を停止位置決めさせ、また張出片６自体の外側に沿って太径の支持バーＢ１を案内拡開させ、大径連結部分４との内外で支持バーＢ１をしっかりと狭持固定させる。
支持部２の左右側方、下方夫々に配装することで計３個となった吸盤２０、粘着盤２５による取付手段、あるいは左右側方に配した取付手段（２０，２５）と補助脚部１５とによる支持部２の支持は、支持バーＢ１，Ｂ２によって支持させるディスプレー品Ｄの重量等をしっかりと支持させる。
【０００８】
【発明の実施の形態】
以下、図面を参照して本発明の実施の形態を説明するに、図に示される符号１は、例えば店舗その他におけるショーウインド、ガラスドアその他の被支持面Ｇに取り付けられる支持具本体であり、垂れ幕、シート、模擬商品見本その他のディスプレー品Ｄを支持する支持部２と、この支持部２を被支持面Ｇ面に取り付けるための取付脚部１０と、取付脚部１０に連結されて被支持面Ｇに接合させる取付手段２０，２５とを備えて成る。
【０００９】
支持部２は図１乃至図４、図７にあるように正面から見て中央に円形筒部を備えた例えば下方に至るに伴い次第に細幅となるような円形を帯びた三角形状を呈するものとしたり、図５、図６に示すように中央に円形筒部を備えた縦長矩形状を呈するものとしたりされる。その円形筒部は、細径あるいは太径のパイプ状の支持バーＢ１，Ｂ２を連結支持する連結筒部３となっており、この連結筒部３は太径の支持バーＢ１を嵌め合わせ連結するよう大径となっている大径連結部分４と、細径の支持バーＢ２を嵌め合わせ連結するよう小径となっている小径連結部分５とのいわば二重（筒）構造に形成されている。図示にあっての連結筒部３は、例えば外径が１８ｍｍで、肉厚が１．５ｍｍである太径の支持バーＢ１を自身の内側に強制的に挿入させるようにその内径を支持バーＢ１の外径に対応させて外側に配した大径連結部分４と、例えば内径が９ｍｍで、肉厚が１〜２ｍｍである細径の支持バーＢ２を自身の外側に強制的に嵌め合わせるようにその外径を支持バーＢ２の内径に対応させて内側に配した小径連結部分５とを備えたものとしてある。
【００１０】
またこの連結筒部３自体は支持部２の前面に前方に突出するように、望ましくは連結支持する支持バーＢ１，Ｂ２、ディスプレー品Ｄその他の重量によって前下がり状になることを考慮して予めやや上向き例えば５°程度で上向きにして設けられている。そしてこの連結筒部３における内外配置の大径連結部分４と小径連結部分５との間には、小径連結部分５の基部の周囲で、底部に至るに伴い次第に外方に末広がり状となった翼片状で、支持バーＢ１の内周面に強制的に当接するようにした複数の張出片６を放射状に配してある。この張出片６の底部外側面と大径連結部分４の内周面との間隙は太径の支持バーＢ１の肉厚に比し大きくはないものとしてあって、この支持バーＢ１の端面が大径連結部分４の底面に十分に当接するようにしてある（図１（Ｂ）参照）。また小径の支持バーＢ２が小径連結部分５に嵌め合わせられたときには支持バーＢ２の端面は張出片６の頂部に当接して停止するようになっており、支持バーＢ２の内周面が小径連結部分５の外周面にしっくりと当接してがたつかないように配慮してある（図１（Ａ）参照）。なお張出片６は小径連結部分５の上下、左右の４方向に配してあるも、３個としたり、５個以上にしたりすることも可能であり、更に図示のように大径連結部分４の開口部には切欠が形成してあって、大径の支持バーＢ１を挿入させるときの拡開容易性を図ってある。
【００１１】
取付脚部１０は支持部２から側方、下方夫々に向かって棒状にして突出形成されており、図１乃至図４に示す実施の形態にあっては左右で対にして側方に突出させることで計２個、下方に突出させることで１個の計３個にしたものであり、図５、図６に示す実施の形態にあっては左右で対にして側方に突出させることで計２個にすると共に上下に沿った補助脚部１５を設けたものである。
【００１２】
この取付脚部１０自体は図示のように小径部分、大径部分を段部を介して一体に形成することで、後述する取付手段の吸盤２０、粘着盤２５等を連繋するときに嵌め合わせる連繋孔２１，２７の径の大小更には取付手段２０，２５の大小等に対応できるようにしてある。場合によってはこの取付脚部１０の外周に突条部分を突設形成することで嵌め合わせ連繋状態をしっかりと固定されるようにしてもよい。
【００１３】
図１乃至図４に示すように左右側方、下方の計３個の取付脚部１０とすることで、支持部２に連繋支持される支持バーＢ１，Ｂ２、ディスプレー品Ｄ等の重量が嵩張るものとなっても、その荷重を支持する耐荷重点を左右側部、下部の計３カ所に分散させ、かつ被支持面Ｇ面に夫々が取付手段２０，２５を介して接合されることとなって被支持面Ｇにしっかりと支持できるのである。
【００１４】
図５、図６に示すように補助脚部１５は、支持部２の上下に翼状にして突出されていると共に被支持面Ｇに当接する当接面部１６を有しており、具体的には図示のように支持部２の上下側面の半ばから支持部２自体の背面に至るに従い次第に広幅となるように突設され、支持部２の背面側端面を突部状に僅かに突出させることで当接面部１６となしてある。なお補助脚部１５自体は図示のように中空状に形成されているも、場合によっては中実無垢なものとして形成することも可能であり、また下方への突出部分は上方への突出部分に比し、荷重支持の安定性を向上させるに好適となるようにやや大きく形成されている。このように支持部２の左右側方に配した２個の取付脚部１０と、上下で被支持面Ｇに当接するように配した補助脚部１５とすることで、支持バーＢ１，Ｂ２、ディスプレー品Ｄ等の荷重を左右側部、上下部の計４カ所に分散させることができ、荷重による下方への前下がり状態等を補助脚部１５によって防止できるものとしてある。
【００１５】
また取付手段は、図１乃至図３、図５乃至図７にあるように吸盤２０としたり、図４にあるように粘着盤２５としたりできる。吸盤２０は、例えば窪み状に湾曲している吸着部の背面に設けた突部に取付脚部１０に嵌め合わせる連繋孔２１を開穿して成る軟質合成樹脂材製のものである。粘着盤２５は剥離自在な離型紙２６によって覆われ、接着剤が塗布された粘着面が裏面に設けられた盤体の表面に取付脚部１０に嵌め合わせる連繋孔２７を有する例えば筒部を一体形成して成る硬質合成樹脂材製のものである。
【００１６】
以上のように構成された本発明につき、その使用の一例を次に説明すると、例えば店舗におけるショーウインドの如き被支持面Ｇに、支持部２に一体形成してある取付脚部１０に連繋した吸盤２０あるいは粘着盤２５によって支持具本体１を取り付けると共に、表示セットするディスプレー品Ｄに対応例えばその大きさ、重量その他に対応して太径支持バーＢ１あるいは細径の支持バーＢ２のいずれかを選択して取付脚部１０に嵌め合わせ連繋するのである。次いで支持バーＢ１，Ｂ２に例えば垂れ幕、シート、適宜形状に象られた所定の疑似商品見本等のディスプレー品Ｄを支持するのである（図７参照）。
【００１７】
支持バーＢ１，Ｂ２の嵌め合わせ連繋に際し、太径の支持バーＢ１であれば支持部２における大径連結部分４の内部に強制的にでも嵌め入れ（図１（Ｂ）参照）、細径の支持バーＢ２であれば同じく支持部２の小径連結部分５の外部に強制的にでも嵌め合わせればよい（図１（Ａ）参照）。なおこれらの支持バーＢ１，Ｂ２は、場合によってはスリット状の割れ目があるものを使用することも可能であり（図示せず）、ディスプレー品Ｄ、その使用場所、態様等によって適宜に選定できるものである。
【００１８】
【発明の効果】
本発明は以上のように構成されており、これがために、比較的に重量がある大型のディスプレー品Ｄの支持に好適となる太径の支持バーＢ１の使用が可能となるばかりでなく、従来の細径の支持バーＢ２も使用可能で、いずれをも選択でき、ディスプレー品Ｄの諸態様に対応した汎用性に富むものとできる。更に重量的に嵩張るディスプレー品Ｄであってもそれらをしっかりと店舗のショーウインドその他の被支持面Ｇに取付手段２０，２５によってしっかりと取り付け支持でき、例えば屋外使用時における風によって煽られても簡単には離脱、外れ、落下することがないのである。
【００１９】
すなわちこれは本発明において、被支持面Ｇに着脱自在に取り付けられる支持具本体１に形成した支持部２には、径が異なる支持バーＢ１，Ｂ２を選択的に連繋する連結筒部３を設けたからであり、これによって、荷重的に異なる各種、各態様のディスプレー品Ｄに対応したいずれかの支持バーＢ１，Ｂ２を連結筒部３に対して選択的に連結可能なものとしているのである。
【００２０】
また連結筒部３の大径連結部分４の内径は太径の支持バーＢ１の外径にほぼ対応しているから、大径連結部分４の内周部にこの支持バーＢ１を嵌め入れ支持させ、小径連結部分５の外径は細径の支持バーＢ２の内径にほぼ対応しているから、小径連結部分５の外周部にこの支持バーＢ２を嵌め合わせ支持させ、その連結支持は、ディスプレー品Ｄの重量、これらに伴う外部からの衝撃、更に煽られる風等による負荷その他に十分に耐えさせてディスプレー品Ｄをしっかりと支持させることができる。
【００２１】
連結筒部３における小径連結部分５周囲には張出片６を放射状に配してあるから、小径連結部分５に沿って嵌め入れた細径の支持バーＢ２を停止させて位置決めでき、また太径の支持バーＢ１が小径連結部分５に沿って嵌め入れられたときには張出片６自体の外側に沿って太径の支持バーＢ１を案内拡開させ、この支持バーＢ１を大径連結部分４内周と小径連結部分５の外側面との間の内外で支持バーＢ１をしっかりと狭持したものとなり、その連結固定は極めて安定したものとなるのである。
【００２２】
取付手段２０，２５は、支持部２の左右側方、支持部２の下方夫々に計３個にして配装したり、支持部２の左右側方に配装すると共に支持部２の上下に沿った補助脚部１５を設けたりして構成してあるから、支持バーＢ１，Ｂ２によって支持させるディスプレー品Ｄの重量等によってこれらのディスプレー品Ｄが下方に前下がり状態等になるのを阻止し、また被支持面Ｇからの離脱、外れ、落下その他を吸盤２０、粘着盤２５等による取付手段と共に防止することができる。
【図面の簡単な説明】
【図１】本発明の実施の形態を示す断面図で、その（Ａ）は細径の支持バーを支持した場合、その（Ｂ）は太径の支持バーを支持した場合のものである。
【図２】同じく一部切欠の分解斜視図である。
【図３】同じく正面図である。
【図４】同じく他の実施の形態における一部切欠分解斜視図である。
【図５】同じく他の実施の形態における一部切欠分解斜視図である。
【図６】同じく図５に示された実施の形態における使用時の断面図である。
【図７】同じく使用状態の参考斜視図である。
【符号の説明】
Ｂ１…太径の支持バー                Ｂ２…細径の支持バー
Ｄ…ディスプレー品                  Ｇ…被支持面
１…支持具本体                      ２…支持部
３…連結筒部                        ４…大径連結部分
５…小径連結部分                    ６…張出片
１０…取付脚部                      １５…補助脚部
１６…当接面部
２０…吸盤                          ２１…連繋孔
２５…粘着盤                        ２６…離型紙
２７…連繋孔
【図１】
0003614384.tif 000002
【図２】
0003614384.tif 000003
【図３】
0003614384.tif 000004
【図４】
0003614384.tif 000005
【図５】
0003614384.tif 000006
【図６】
0003614384.tif 000007
【図７】
0003614384.tif 000008